(57)【要約】本発明は、家庭用下水溝または道路用マンホールの下水溝を通じて逆流して出る悪臭を防止するためのものであり、さらに詳細には、全体的に薄くて柔軟な（flexible）ポリエチレンなどの合成樹脂材質からなる長い管状であり、下水溝取り付け部および本体部からなり、前記下水溝取り付け部は、下水溝蓋取付具に容易に取り付けるように上部は広くて下部は狭いテーパー形状になっており、上端面には接着部が形成されており、前記本体部は、前記下水溝取り付け部の下部に一体に連通されており、両側面には折り畳み部が本体部に沿って縦方向に長く形成されており、外周面には所定の間隔で多数の折り畳み帯が横方向に形成されているので、下水溝の内側に取り付けられた状態で下水の排出を円滑に行うとともに、下水の排出後には、前記本体部の内側面が互いに密着維持され、下水管の内部で発生する悪臭や虫などが、下水溝を通じて外部に排出しないようにすることが本発明の特徴である。
2009504954.tif 000002
【特許請求の範囲】
【請求項１】
全体的に薄くて柔軟なポリエチレンのような合成樹脂材質からなる長い管状として、下水溝取り付け部と本体部からなり、下水管の内側に設置されて家庭用下水溝または道路用マンホールで発生する下水溝の悪臭を防止する装置において、前記下水溝取り付け部は、下水溝蓋取付具に容易に挿入されて取り付けられるように、上部は広くて下部は狭いテーパー形状になっており、この下水溝取り付け部の上端部の外周面には接着部が突設されているので、下水溝蓋取付具の上端内側面に接着固定されるようになっており、前記本体部は長い管状として、前記下水溝取り付け部の下部に一体に連通されているが、下水管より小さな直径を有するようになっており、両側面には本体部の縦方向に沿って長く折りたたんでいる折り畳み部が形成されているので、本体部に沿って下水が排出された後には、本体部の内側面に付いている水分の引張力と、前記折り畳み部の自体弾力によって折りたたんだ部分を中心に、本体部の内側面が、互いに容易に密着されてくっついた状態を維持することによって、下水管内部の悪臭を防止するようになっていることを特徴とする下水溝防臭トラップ。
【請求項２】
前記折り畳み部は、本体部の両側面を押して加熱接着したり、熱融着して形成し、折り畳み部の幅は１〜５ｍｍ程度で形成されていることを特徴とする請求項１に記載の下水溝防臭トラップ。
【請求項３】
前記本体部は、外周面に所定の間隔で多数の折り畳み帯が横方向に形成されているので、前記折り畳み帯の自体弾力によって本体部の内側面の密着性を高めるとともに、本体部が折り畳んだり、ねじれることによって、排水時に詰まる現象を防止するようになっていることを特徴とする請求項１に記載の下水溝防臭トラップ。
【発明の詳細な説明】
【技術分野】
【０００１】
本発明は、家庭用下水溝または道路用マンホールの下水溝を通じて逆流して出る悪臭を防止するためのものであり、さらに詳細には、全体的に薄くて柔軟な（flexible）ポリエチレンなどの合成樹脂材質からなる長い管状であり、下水溝取り付け部および本体部からなり、前記下水溝取り付け部は、下水溝蓋取付具に容易に取り付けるように上部は広くて下部は狭いテーパー形状になっており、上端面には接着部が形成されており、前記本体部は、前記下水溝取り付け部の下部に一体に連通されており、両側面には折り畳み部が本体部に沿って縦方向に長く形成されており、外周面には所定の間隔で多数の折り畳み帯が横方向に形成されているので、下水溝の内側に取り付けられた状態で下水の排出を円滑に行うとともに、下水の排出後には、前記本体部の内側面が互いに密着維持され、下水管の内部で発生する悪臭や虫などが、下水溝を通じて外部に排出しないようにすることが本発明の特徴である。
【背景技術】
【０００２】
一般的に、下水溝は図６に示したように、地中に埋設された下水管（８'）を通じて、下水などが排出されるようになっている。下水溝の上部内側には下水溝蓋取付具（４'）が設けられており、前記下水溝蓋取付具（４'）の上端部には、下水溝蓋（９'）が挿入されているので、下水溝を通じて様々な異物などが流れて行かないように濾過するようになっている。前記下水溝蓋取付具（４'）の下部には、下水溝蓋取付具（４'）と所定の間隔で離隔されて悪臭防止板（１０'）が設けられているので、下水管（８'）の内側で発生する悪臭が逆流して下水溝の外部に排出されるか、または様々な虫などが下水溝の外部に出ないように遮断されるようになっている。
【０００３】
しかし、従来の下水溝に設置された悪臭防止板（１０'）は、さまざまな下水が下水溝を通じて排出される過程で、前記悪臭防止板（１０'）と下水溝蓋取付具（４'）下部との離隔された隙間に髪の毛や小さな異物、または沈殿物などが挟まることにより下水の排出を円滑に行うことができない。したがって、ひどい悪臭が発生して不快感を呼び起こすという問題点があった。
【発明の開示】
【発明が解決しようとする課題】
【０００４】
本発明は、前記のような問題点を解決するためのものであり、本体部の両側面に沿って長く折りたたんだ折り畳み部と、本体部内部に付いている水分の引張力によって、長い管を形成する薄い合成樹脂材質の本体部が自然に接合して密着されることによって、下水管を通じて下水の排出を円滑に行い、下水管の内部で発生する悪臭や虫などが外部に出ることを効果的に防止して、清潔な下水溝を提供することを目的とする。
【課題を解決するための手段】
【０００５】
このような目的を達成するために、全体的に薄くて柔軟な（flexible）ポリエチレンなどの合成樹脂材質からなる長い管状として、下水溝取り付け部と本体部から構成されており、前記下水溝取り付け部は、下水溝蓋取付具に容易に取り付けられるように、上部は広くて下部は狭いテーパー形状になっており、上端面には接着部が形成されており、前記本体部は、前記下水溝取り付け部の下部に一体に連通されており、両側面には折り畳み部が本体部に沿って縦方向に長く形成されており、外周面には所定の間隔で多数の折り畳み帯が横方向に形成されているので、下水溝の内側に取り付けられた状態で下水の排出を円滑に行うとともに、下水の排出後には前記本体部の内側面が互いに密着維持され、下水管の内部で発生する悪臭や虫などが、下水溝を通じて外部に排出されないようにすることが本発明の特徴である。
【０００６】
本発明のさまざまな目標と特徴および利点に対する内容を下の図面によって説明すれば、次のようである。
【発明を実施するための最良の形態】
【０００７】
本発明の下水溝防臭トラップは、図１ないし５に示したように、家庭用下水溝または道路用マンホールの下水溝の内側に設けられ、悪臭や虫などを防止するようになっている。
【０００８】
本発明の下水溝防臭トラップは、全体的に薄くて柔軟な（flexible）ポリエチレンなどの合成樹脂材質からなる長い管状になっており、下水溝取り付け部（２）および本体部（３）から構成されている。
【０００９】
前記下水溝取り付け部（２）は、下水溝の内側の上部に備えられた下水溝蓋取付具（４）に、本発明の下水溝防臭トラップ（１）が挿入されて固定されて設けられる部分で、前記下水溝蓋取付具（４）に容易に挿入されて取り付けるように、上部は広く下部は狭いテーパー形状になっている。この下水溝取り付け部（２）の上端部外周面には接着部（５）が突設されており、下水溝蓋取付具（４）の上端の内側面にエポキシ樹脂などでしっかりと接着固定されている。
【００１０】
前記下水溝取り付け部（２）は、図１および図２のように、上部流入口の形状を円形または長方形からなり、下水溝の形状によって様々に形成することができる。
【００１１】
前記本体部（３）は、下水の排出時には通過する下水の重量によって開放された状態を維持し、下水の排出後には、内側面に付いている水分と折り畳み部（６a）（６b）および折り畳み帯（７）によって、内側面が互いに密着されて閉じられた状態を維持し、下水管（８）内部から発生する悪臭や虫などが外部に出ることを効果的に防止する部分である。前記本体部（３）は長い管状であり、前記下水溝取り付け部（２）の下部に一体に連通されており、下水管（８）より小さな直径を有するようになっており、下水管（８）の内周面に本体部（３）が円筒形に開けられた状態でくっつかないようにする。
【００１２】
前記本体部（３）の両側面には、本体部（３）の縦方向に沿って長く折りたたんでいる折り畳み部（６a）（６b）が形成されており、本体部（３）に沿って下水が排出された後には、本体部（３）の内側面に付いている水分の引張力と、前記折り畳み部（６a）（６b）の自体弾力によって折りたたんだ部分を中心に、本体部（３）の内側面が互いに容易に密着されてくっついた状態を維持することによって、下水管（８）内部で発生した悪臭が逆流することを防止するようになっており、外周面には所定の間隔で多数の折り畳み帯（７）が横方向に形成されているので、前記折り畳み帯（７）の自体弾力によって本体部（３）の内側面の密着性を高めるとともに、本体部（３）が折り畳んだり、ねじれることによって、排水時に詰まる現象を防止するようになっている。
【００１３】
前記折り畳み部（６a）（６b）は、薄い合成樹脂材質の管状からなる本体部（３）の両側面を押して加熱接着したり、熱融着して形成し、折り畳み部（６a）（６b）の幅は１〜５mm程度で形成することが最も好ましい。
【００１４】
一方、本発明による他の実施例として、前記本体部（３）は外周面に多数の折り畳み帯（７）を形成せず、折り畳み部（６a）（６b）のみを形成して製作することができる。
【００１５】
本発明による下水溝防臭トラップ（１）は、図３ないし５に示したように直線型の下水管（８）だけでなく、"L" 字形の下水管（８）にも容易に設置可能であり、"L"字形の下水管（８）の場合には、下水の排出後、本体部（３）の内側面が互いに密着された状態を容易に維持するように、本体部（３）の両側面に形成された折り畳み部（６a）（６b）が、横方向に置かれるように設けることが好ましい。
【００１６】
また、本発明による下水溝防臭トラップ（１）は、道路用マンホールの入口部分の内側にも設置可能であり、地下の下水配管を通じて悪臭などが地上に放出しないようにすることができる。本発明による作用を説明すると、次のようである。
【００１７】
一般的に、本発明の下水溝防臭トラップ（１）は、下水溝に設けられている下水溝蓋取付具（４）の上面部に、下水溝取り付け部（２）の接着部（５）をエポキシ樹脂などで接着して一体に固定して付着させ、下水溝取り付け部（２）および本体部（３）を下水管（８）の内側に位置するように挿入して簡単に設置完了するようになる。
【００１８】
下水の排出時には、全体的に柔軟な（flexible）ポリエチレンなどの合成樹脂材質からなっている本体部（３）の特性によって、本体部（３）内側を通過する下水の自体重量で、本体部（３）が自然に開けられながら、下水が下水管（８）の内側の下部に円滑に排出される。下水の排出後には、本体部（３）の内側面に付いている水分の引張力と本体部（３）両側面に形成された折り畳み部（６a）（６b）および、本体部（３）の外周面に形成された多数の折り畳み帯（７）の自体弾力によって、本体部（３）の内側面が互いに容易に密着されてくっついた状態を維持することによって、下水管（８）の内部で発生した悪臭や虫などが、下水溝を通じて外部に流出しないように遮断する。
【産業上の利用可能性】
【００１９】
前記のように、本発明によれば、下水溝取り付け部が上部は広く、下部が狭いテーパー形状になっているので、家庭用下水溝のみならず、道路用マンホールの下水溝にも簡便で容易に取り付けることができ、下水の排出を円滑に行い、下水が詰まったり、逆流することなく、下水の排出後には、本体部の両側面に一定の幅で折りたたんでいる折り畳み部の自体弾力と、本体部の内部に付いている水分の引張力によって、本体部が密着されてくっついた状態を維持することによって、下水管の内部で発生する悪臭や虫などが、下水溝を通じて逆流して外部に流出しないので、清潔な下水溝を維持することができる効果がある。
【図面の簡単な説明】
【００２０】
【図１】本発明による下水溝防臭トラップを示した斜視図。
【図２】本発明による下水溝防臭トラップの他の実施例を示した斜視図。
【図３】本発明による下水溝防臭トラップが、直線型下水管が設置された下水溝に取り付けられた状態の断面概略図。
【図４】本発明による下水溝防臭トラップが、"L"字形下水管が設置された下水溝に取り付けられた状態で、下水が排出されて開放された状態の断面概略図。
【図５】本発明による下水溝防臭トラップが、"L"字形下水管が設置された下水溝に取り付けられた状態で、下水が排出された後に閉じられた状態の断面概略図。
【図６】従来の下水溝防臭トラップの断面概略図。
【図１】
2009504954.tif 000003
【図２】
2009504954.tif 000004
【図３】
2009504954.tif 000005
【図４】
2009504954.tif 000006
【図５】
2009504954.tif 000007
【図６】
2009504954.tif 000008
【国際調査報告】
2009504954.tif 000009
2009504954.tif 000010